(57)【特許請求の範囲】
【請求項１】
板状の天面壁、
前記天面壁の外周部において前記天面壁の面と交差する向きに延びるように形成される筒状の外周壁、
前記外周壁の内面に突出して形成され、前記外周壁の内面を一周するように形成される少なくとも１つの環状の突起部、
前記外周壁の内周側において前記天面壁から前記外周壁と同じ向きに延びる筒状の内周壁、
前記内周壁の外面に突出して形成され、前記内周壁の外面を連続して一周するように形成される突起部、
前記内周壁の内周側において前記天面壁から前記外周壁と同じ向きに延びる筒状の別の内周壁、および
前記別の内周壁の外面に突出して形成され、前記別の内周壁の外面を連続して一周するように形成される突起部を含む、キャップ。
【請求項２】
前記別の内周壁と前記天面壁との連結部分を厚くするために前記別の内周壁と前記天面壁との連結部分を曲面状にした、請求項１に記載のキャップ。
【請求項３】
前記外周壁と前記内周壁との間において連続して一周するように形成され、前記天面壁から前記外周壁と同じ向きに突出する突起部を含み、前記天面壁から突出する前記突起部が前記天面壁の外周側に向かって突出するように形成された、請求項１または請求項２に記載のキャップ。
【請求項４】
前記別の内周壁の内側に沿って、前記天面壁に溝が形成されたことを特徴とする、請求項１ないし請求項３のいずれかに記載のキャップ。
【請求項５】
前記溝の内側における前記天面壁の厚さを前記溝の外側における前記天面壁の厚さより薄くしたことを特徴とする、請求項４に記載のキャップ。
【請求項６】
前記外周壁に形成される突起部は、前記外周壁の内面を一周するようにして間隔を隔てて複数形成された突起片によって構成される、請求項１ないし請求項５のいずれかに記載のキャップ。
【請求項７】
前記外周壁の２箇所において線状に形成される薄肉のスコア部を含み、前記スコア部を引き裂くために引っ張るための引張り部材が形成された、請求項１ないし請求項６のいずれかに記載のキャップ。
【請求項８】
前記引張り部材は、２つの前記スコア部の近傍における前記外周壁の外面を連結する帯状となるように形成された、請求項７に記載のキャップ。
【請求項９】
前記引張り部材は、前記外周壁との連結部分から前記外周壁に沿って前記スコア部の一方側に延びるように形成され、反転したのち前記スコア部の他方側において前記外周壁の外面に沿ってほぼ半周するように配置された、請求項８に記載のキャップ。
【請求項１０】
前記スコア部の端部に凹部が形成された、請求項８または請求項９に記載のキャップ。
【請求項１１】
前記引張り部材の中間部分の１箇所または複数箇所が前記外周壁の外面に連結された、請求項８ないし請求項１０のいずれかに記載のキャップ。
【請求項１２】
前記引張り部材の反対側において、前記外周壁から外側に向かって形成される鍔部を含む、請求項８ないし請求項１１のいずれかに記載のキャップ。
【請求項１３】
前記引張り部材は、２つの前記スコア部の間において２つの前記スコア部に隣接して形成され、前記引張り部材を引っ張ることにより前記スコア部が引き裂かれて前記引張り部材が前記外周壁から分離されるようにした、請求項７に記載のキャップ。
【請求項１４】
前記引張り部材の近傍において、前記外周壁から外側に向かって形成される鍔部を含む、請求項１３に記載のキャップ。
【発明の詳細な説明】
【０００１】
【発明の属する技術分野】
この発明は、キャップに関し、特に、たとえば牛乳瓶などのような瓶を密封するためのキャップに関する。
【０００２】
【従来の技術】
従来、牛乳瓶などを密封するために、たとえば紙製のキャップが瓶口に嵌めこまれていた。このようなキャップでは、温度変化による瓶内の圧力の増加により、内容物が瓶口から漏れる場合があった。そこで、合成樹脂などで作製され、瓶口を強固に密封することができるキャップが考えられた。
【０００３】
【発明が解決しようとする課題】
しかしながら、合成樹脂製のキャップを用いた場合においても、瓶口の形状によって密封できない場合がある。また、瓶口を強固に密封できる場合であっても、キャップを瓶から外すときには、容易に外れることが好ましい。
【０００４】
それゆえに、この発明の主たる目的は、複数の形状の瓶口に適用可能であり、温度変化などによる瓶内の圧力変化によって内容物が漏れることを防止することができるキャップを提供することである。
また、この発明の目的は、瓶口を強固に密封しても、容易に瓶から外すことができるキャップを提供することである。
【０００５】
【課題を解決するための手段】
この発明は、板状の天面壁と、天面壁の外周部において天面壁の面と交差する向きに延びるように形成される筒状の外周壁と、外周壁の内面に突出して形成され外周壁の内面を一周するように形成される少なくとも１つの環状の突起部と、外周壁の内周側において天面壁から外周壁と同じ向きに延びる筒状の内周壁と、内周壁の外面に突出して形成され内周壁の外面を連続して一周するように形成される突起部と、内周壁の内周側において天面壁から外周壁と同じ向きに延びる筒状の別の内周壁と、別の内周壁の外面に突出して形成され別の内周壁の外面を連続して一周するように形成される突起部とを含む、キャップである。
このようなキャップにおいて、別の内周壁と天面壁との連結部分を厚くするために、別の内周壁と天面壁との連結部分が曲面状に形成されてもよい。
さらに、外周壁と内周壁との間において、天面壁から外周壁と同じ向きに突出する突起部を形成してもよく、この場合、天面壁から突出する突起部が天面壁の外周側に向かって突出するように形成されることが好ましい。
また、別の内周壁の内側に沿って、天面壁に溝が形成されることが好ましい。
さらに、溝の内側における天面壁の厚さを溝の外側における天面壁の厚さより薄くすることが好ましい。
また、外周壁に形成される突起部は、外周壁の内面を一周するようにして間隔を隔てて複数形成された突起片によって構成される。
さらに、外周壁の２箇所において線状に形成される薄肉のスコア部を含み、スコア部を引き裂くために引っ張るための引張り部材が形成されてもよい。
このとき、引張り部材は、たとえば、２つのスコア部の近傍における外周壁の外面を連結する帯状となるように形成される。
この場合、引張り部材は、外周壁との連結部分から外周壁に沿ってスコア部の一方側に延びるように形成され、反転したのちスコア部の他方側において外周壁の外面に沿ってほぼ半周するように配置されることが好ましい。
さらに、スコア部の端部に凹部を形成することができる。
また、引張り部材の中間部分の１箇所または複数箇所が外周壁の外面に連結されるようにしてもよい。
さらに、引張り部材の反対側において、外周壁から外側に向かって鍔部を形成することができる。
また、引張り部材は、２つのスコア部の間において２つのスコア部に隣接して形成されてもよく、この場合、引張り部材を引っ張ることによりスコア部が引き裂かれて引張り部材が外周壁から分離される。
このような引張り部材を形成する場合、引張り部材の近傍において、外周壁から外側に向かって鍔部を形成することができる。
【０００６】
外周壁に形成された突起部が瓶の外側面に押し付けられることにより、キャップが瓶に固定される。このとき、内周壁に形成された突起部が瓶の内側面に押し付けられることにより、瓶がシールされ、瓶の内容物の漏れを防ぐことができる。このように、外周壁の突起部と内周壁の突起部とが、瓶の外側面および内側面に押し付けられることにより、瓶の形状にかかわらず、強固にキャップを固定することができる。
さらに、内周壁の内側に別の内周壁を設け、別の内周壁に突起部を形成すれば、特定の形状の瓶に対してより強固にキャップを固定することができる。
別の内周壁と天面壁との連結部分を曲面状にして厚くすることにより、瓶の内外の圧力差などによって天面壁が撓んだときも、別の内周壁が倒れにくくなり、シール効果を確保することができる。
また、天面壁に突起部を形成し、この突起部を天面壁の外周側に向かって突出するように形成することにより、瓶の端面に突起部が押し付けられてシール効果を得ることができる。このとき、突起部を天面壁の外周側に向かって突出するように形成することにより、瓶の内側の圧力が小さくなったとき、この突起部が外周側に向いた状態で瓶の端面に押し付けられる。それにより、突起部の瓶の端面への接触面積が大きくなり、シール効果を大きくすることができる。
別の内周壁の内側に沿って、天面壁に溝を形成することにより、溝の内側の天面壁が動きやすくなり、瓶の内外の圧力に差が生じたときに、天面壁の動きによって圧力差を吸収することができる。
さらに、溝の内側の天面壁を薄くすることにより、天面壁が撓みやすくなり、瓶の内外の圧力差を吸収する効果を高めることができる。
また、外周壁に形成される突起部を外周壁の内面に連続して形成せず、複数の突起片が一周するように構成することにより、キャップを瓶に被せるときに、突起片が形成されていない部分の外周壁の伸びによって外周壁に加わる力が分散される。
外周壁にスコア部を形成し、このスコア部を引き裂くための引張り部材を形成することにより、引張り部材を引っ張ることによって、スコア部が引き裂かれる。それによって、外周壁に形成された突起部による瓶への係合力が小さくなり、キャップを瓶から外しやすくなる。
ここで、２つのスコア部の近傍における外周壁の外面を連結する帯状となるように引張り部材を形成することにより、引張り部材を引っ張ることによって、同時に２つのスコア部を引き裂くことができる。
さらに、引張り部材がスコア部の一方側に延びたのちに反転し、外周壁の外面に沿って配置されることにより、瓶口を密封しているときには、嵩張らない状態とすることができる。そして、スコア部を引き裂くときには、引張り部材を引っ張ることにより、反転した湾曲部がのびて、外周壁から離れた位置で引張り部材を引っ張ることができる。
また、スコア部の端部に凹部を形成することにより、引張り部材を引っ張ったときに、凹部を起点としてスコア部が破れやすくなる。
引張り部材の中間部を外周壁に連結しておけば、キャップを外すまで、引張り部材を固定しておくことができ、瓶を箱などに収納したときに、引張り部材が邪魔にならない。
さらに、引張り部材の反対側において、外周壁に鍔部を形成することにより、スコア部を引き裂いたのちに、鍔部を持ち上げることによって簡単にキャップを瓶から外すことができる。
また、２つのスコア部の間において２つのスコア部に隣接して引張り部材を形成することにより、スコア部を引き裂いて引張り部材を外周壁から分離することができる。それにより、外周部と瓶との間の係合力が小さくなり、容易にキャップを瓶から外すことができる。
この場合、引張り部材の近傍に鍔部を形成することにより、鍔部を持ち上げることにより、引張り部材が分離して破壊された外周部を瓶から引き離すことができる。
【０００７】
この発明の上述の目的，その他の目的，特徴および利点は、図面を参照して行う以下の発明の実施の形態の詳細な説明から一層明らかとなろう。
【０００８】
【発明の実施の形態】
図１はこの発明のキャップの一例を示す平面図であり、図２はその側面図である。キャップ１０は、たとえば合成樹脂などを用いて、射出成形などによって形成される。キャップ１０は、円板状の天面壁１２を含む。天面壁１２の一方面上には、同一円周上に半球状の３つの凸部１４が形成される。さらに、天面壁１２の端部から他方面側に向かって延びるようにして、円筒状の外周壁１６が形成される。そして、図３に示すように、外周壁１６の内面には、外周壁の端部に近い部分から内側に向かって突出するように、第１の突起部１８が形成される。また、外周壁１６の内面には、第１の突起部１８より天面壁１２側において、内側に突出するようにして第２の突起部２０が形成される。ここで、第１の突起部１８は、第２の突起部２０より大きく突出するように形成される。
【０００９】
第１の突起部１８および第２の突起部２０は、図４および図５に示すように、外周壁１６の内面に沿って一周するように形成されるが、１つの突起部が連続して形成されるのではなく、複数の突起片によって外周壁１６の内面を一周するように形成される。なお、第１の突起部１８および第２の突起部２０は、１つの突起部が連続して一周するように形成されてもよい。
【００１０】
外周壁１６の内側には、外周壁１６と同心円状に、第１の内周壁２２が形成される。第１の内周壁２２は、天面壁１２の他方面から外周壁１６と同じ向きに延びるようにして、円筒状に形成される。第１の内周壁２２の外面には、外周壁１６方向に向かって突出するようにして、第３の突起部２４が形成される。第３の突起部２４は、第１の内周壁２２の端部近傍の外面側に、連続した環状となるように形成される。
【００１１】
第１の内周壁２２の内側には、外周壁１６および第１の内周壁２２と同心円状に、第２の内周壁２６が形成される。第２の内周壁２６は、天面壁１２の他方面から外周壁１６および第１の内周壁２２と同じ向きに延びるようにして、円筒状に形成される。ここで、第２の内周壁２６は、第１の内周壁２２に比べて、天面壁１２から多く突出するように形成される。また、第２の内周壁２６と天面壁１２との連結部分は、第２の内周壁２６の外面側において曲面状に形成され、第２の内周壁２６から天面壁１２に向かうにしたがって厚くなるように形成される。
【００１２】
第２の内周壁２６の外面には、外周壁１６方向に向かって突出するようにして、第４の突起部２８が形成される。第４の突起部２８は、第２の内周壁２６の端部近傍の外面側に、連続した環状となるように形成される。第２の内周壁２６は、第１の内周壁２２より多く突出しているため、第３の突起部２４と第４の突起部２８とは、天面壁１２からみて互いにずれた位置に形成される。
【００１３】
外周壁１６と第１の内周壁２２との間において、天面壁１２の他方面に、第５の突起部３０が形成される。第５の突起部３０は、外周壁１６、第１の内周壁２２および第２の内周壁２６と同心円状に形成される。第５の突起部３０は、天面壁１２から外周壁１６方向に向かって突出するように、連続した環状となるように形成される。
【００１４】
また、第２の内周壁２６の内側に沿って、天面壁１２の他方面に、環状の溝３２が形成される。溝３２の内側における天面壁１２は、溝３２の外側に比べて薄く形成される。
【００１５】
さらに、円筒状の外周壁１６の対向する外側面には、薄肉のスコア部３４が形成される。２つのスコア部３４は、外周壁１６の端部から同じ向きに向かって、斜めに延びる線状に形成される。スコア部３４の端部には、凹部３６が形成される。
【００１６】
凹部３６の近傍において、スコア部３４に近接する外周壁１６から、引っ張り部材３８が引き出される。引張り部材３８は、２つのスコア部３４の近傍を連結するように、帯状に形成される。引張り部材３８は、斜めに形成されたスコア部３４の鋭角側の端部に連結され、一旦スコア部３４の鈍角側に向かったのちに湾曲部３８ａで反転して、外周壁１６の外面に沿って半周するように配置される。さらに、引張り部材３８は、その中間部の複数箇所で外周壁１６に近接するように折り曲げて形成され、その部分において連結部４０で外周壁１６に連結される。なお、連結部４０は、１箇所に形成されていてもよい。また、引張り部材３８の反対側において、外周壁１６の端部から外側に向かって延びる鍔部４２が形成される。鍔部４２には、外周壁１６との間に補強のためのリブ４４が形成される。
【００１７】
このキャップ１０は、たとえば牛乳瓶などのような瓶の口に被せられる。瓶の口の形状としては、たとえば図６に示すように、丸正瓶口と呼ばれる形状がある。この瓶５０は、外側面５２が口方向に向かうにしたがって広がるように、傾斜して形成されている。また、瓶５０の内側面５４には、段差部５６が形成され、段差部５６の内側に突起部５８が形成されている。
【００１８】
このような瓶５０にキャップ１０を被せると、瓶５０の口の周辺の外側面５２に沿って外周壁１６が配置され、第１の突起部１８および第２の突起部２０が瓶５０の外側面５２に押し付けられる。また、瓶５０の内側面５４に沿って第１の内周壁２２が配置され、第３の突起部２４が内側面５４に押し付けられる。さらに、瓶５０の段差部５６に形成された突起部５８に、第２の内周壁２６に形成された第４の突起部２８が引っ掛かるようにして押し付けられる。さらに、キャップ１０を瓶５０の口に被せることにより、第５の突起部３０が瓶５０の端面６０に押し付けられる。
【００１９】
なお、このキャップ１０では、第１の突起部１８および第２の突起部２０が複数の突起片によって構成されているため、キャップ１０を瓶５０に被せるときに、突起片の形成されていない部分の外周壁１６が伸びて、外周壁１６に加わる力が分散される。そのため、スコア部３４が引き裂かれることなく、キャップ１０を瓶５０に被せることができる。さらに、キャップ１０を瓶５０に被せた後は、キャップ１０は、ほぼ成形時の形状に戻り、第１の突起部１８および第２の突起部２０が瓶５０の外側面５２に押し付けられる。
【００２０】
このような状態では、キャップ１０が抜ける向きに力が加わっても、瓶５０の傾斜した外側面５２に、キャップ１０の第１の突起部１８および第２の突起部２０が押し付けられて係合力が発生し、キャップ１０が外れにくくなる。また、瓶５０の内側においては、段差部５６に形成された突起部５８に、キャップ１０の第４の突起部２８が押し付けられて係合力が発生し、キャップ１０が外れにくくなる。このとき、第４の突起部２８は、連続した環状に形成されているため、瓶５０の内側に押し付けられることにより、シール効果を得ることができる。
【００２１】
さらに、瓶５０の内側面５４には、キャップ１０の第３の突起部２４が押し付けられている。瓶５０の内側面５４には、第３の突起部２４との間で係合力が発生するような傾斜や突起部が形成されていないが、第３の突起部２４が連続した環状に形成されているため、シール効果を得ることができる。また、キャップ１０の第５の突起部３０が、瓶５０の端面６０に接触するように押し付けられている。第５の突起部３０も連続した環状に形成されているため、瓶５０の端面６０に押し付けられることにより、シール効果を得ることができる。
【００２２】
このように、このキャップ１０を用いることにより、第１の突起部１８、第２の突起部２０および第４の突起部２８で係合力を得ることができ、キャップ１０が瓶５０から外れにくくなる。さらに、第３の突起部２４、第４の突起部２８および第５の突起部３０によってシール効果が得られるため、内容物の漏れを防ぐことができる。
【００２３】
このキャップ１０では、第２の内周壁２６の内側に沿って、天面壁１２に溝３２が形成されており、その内側において天面壁１２が薄く形成されているため、温度変化などによって瓶５０の内側の圧力が低くなったとき、図７に示すように、溝３２の内側の天面壁１２が瓶５０の内側に撓みやすい。このキャップ１０では、第５の突起部３０が天面壁１２に直交して突出せず、図８に点線で示すように、外周側に向かって傾斜するように突出しているため、天面壁１２が撓んだときに、図８に実線で示すように、第５の突起部３０と瓶５０の端面６０との接触面積が大きくなり、シール効果を高めることができる。
【００２４】
また、瓶５０の内部の圧力が高まったときには、図９に示すように、溝３２の内側の天面壁１２が瓶５０の外部側に撓みやすい。このとき、第２の内周壁２６と天面壁１２との連結部分が厚くなるように形成されているため、第２の内周壁２６が内側に倒れにくくなる。そのため、第４の突起部２８による係合力およびシール効果を維持することができる。
【００２５】
このように、このキャップ１０では、溝３２の内側において天面壁１２が薄く形成されることにより、瓶５０の内外の圧力差により容易に天面壁１２が撓み、圧力差を吸収することができる。このとき、溝３２が形成されていることにより、溝３２部分で天面壁１２が屈曲し、天面壁１２が撓む際の力が他の部分に伝わりにくくなる。そのため、第１の突起部１８、第２の突起部２０および第４の突起部２８などの係合部にかかる抜ける方向への力が軽減され、瓶５０の内外の圧力差によって、キャップ１０が瓶５０から外れることを防止することができる。
【００２６】
さらに、このキャップ１０は、図１０や図１１に示すような、ビード瓶口と呼ばれる形状を有する瓶５０にも適用することができる。図１０に示すような瓶５０の場合、丸正瓶口に比べて、外側面５２が傾斜せず真直ぐに形成されて、その下側に段差部６２が形成されている。この場合、段差部６２にキャップ１０の第１の突起部１８が係合する。このとき、瓶５０の外側面５２は傾斜していないため、第２の突起部２０には係合力はほとんど発生しない。しかしながら、第１の突起部１８および第４の突起部２８で係合力が発生しており、瓶５０から外れにくいキャップとすることができる。
【００２７】
また、図１１に示すような瓶５０の場合、さらに内側面５４に段差部が形成されていないため、第４の突起部２８は瓶５０に接触せず、この部分に係合力は発生せず、シール効果も得ることはできない。しかしながら、第１の突起部１８が瓶５０の段差部６２に引っ掛かることによって係合力が得られ、第３の突起部２４および第５の突起部３０でシール効果を得ることができるため、瓶５０から外れにくく、シール効果の高いキャップとすることができる。
【００２８】
このように、このキャップ１０は、複数の形状の瓶５０に適用可能であり、外れにくい構造を有するものである。そこで、瓶５０からキャップ１０を外すときには、引張り部材３８を引っ張ることによって、外周壁１６が引き裂かれる。つまり、引張り部材３８を外周壁１６の外側方向に引っ張ることにより、図１２〜図１４に示すように、薄く形成されたスコア部３４が引き裂かれる。
【００２９】
このキャップ１０では、引張り部材３８が、斜めに形成されたスコア部３４の傾斜する向きに引っ張られる。それにより、外周壁１６に連結された連結部４０が切れて、スコア部３４の一方側が引っ張られる。このとき、引張り部材３８に湾曲部３８ａが形成されているため、この湾曲部３８ａが伸びて、引張り部材３８を引っ張るのに十分な長さを得ることができる。また、スコア部３４の端部に凹部３６が形成されているため、この凹部３６を起点としてスコア部３４が破れやすくなっている。
【００３０】
スコア部３４が破られると、図１５に示すように、引張り部材３８の反対側に形成された鍔部４２が持ち上げられる。それにより、外周壁１６が持ち上げられ、第１の突起部１８および第２の突起部２０による係合力が小さくなり、キャップ１０を容易に瓶５０から外すことができる。このとき、引張り部材３８は分離しないため、キャップ１０を破棄する際に、ごみの数を増やすことがない。
【００３１】
このキャップ１０では、引張り部材３８が２つのスコア部３４の近傍を結ぶように形成されているため、引張り部材３８がループ状となり、スコア部３４を引き裂く方向に引っ張りやすい。そのため、スコア部３４に力を加えやすくなり、スコア部３４が少々厚肉に形成されていても、容易に引き裂くことができる。そのため、スコア部３４の厚みをある程度厚くすることができ、第１の突起部１８や第２の突起部２０による係合力を大きくすることができる。
【００３２】
また、引張り部材３８は、外周壁１６の外面に沿って配置され、その中間部において連結部４０で外周壁１６に連結されているため、引っ張るのに十分な長さを有しているにもかかわらず、邪魔にならない大きさで収まっている。そのため、瓶５０にキャップ１０を被せるときのキャップ供給機内や、瓶５０を輸送する際に、箱内でキャップ同士が互いに絡まったりしない。したがって、輸送時における不慮の開栓や、キャップ供給機内での供給不良などを防止することができる。
【００３３】
なお、キャップ１０の内部構造としては、図１６に示すように、第２の内周壁２６が形成されていなくてもよい。このようなキャップ１０の場合、キャップ１０と瓶５０との係合部やシール部分は、図１１に示すキャップと同様であるが、溝３２が第１の内周壁２２の内側に沿って天面壁１２に形成される。そして、溝３２の内周側において天面壁１２が薄く、溝３２の外周側において天面壁１２が厚くなるように形成しておくことにより、内外の圧力差を吸収することができる。
【００３４】
このようなキャップ１０を図６に示すような丸正瓶口の瓶５０に用いる場合には、第２の内周壁２６がないため、瓶５０内部の突起部５８との間で係合力を得ることはできないが、外周壁１６に形成された第１の突起部１８および第２の突起部２０によって係合力を得ることができ、強固に瓶５０にキャップ１０を固定することができる。また、外周壁１６に２つの突起部が形成されている必要はなく、外周壁１６端部の突起部１８のみで係合力を得るものであってもよい。
【００３５】
なお、引張り部材３８としては、図１７、図１８および図１９に示すように、外周壁１６の高さ方向に延びる板状のものとしてもよい。この引張り部材３８は、天面壁１２より上方に突き出るように形成される。この場合、引張り部材３８の両側に、スコア部３４が形成される。スコア部３４は、外周壁１６の端部側に形成され、スコア部３４と天面壁１２との間に、開口部７０が形成される。つまり、引張り部材３８は、２つのスコア部３４の間において、これらのスコア部３４に隣接するように形成される。スコア部３４は、図１９に示すように、開口部７０側が薄く形成され、外周壁１６の端部側に向かうにしたがって厚くなるように形成される。さらに、引張り部材３８の近傍において、外周壁１６から外側に向かって突出するように、鍔部４２が形成される。
【００３６】
このような引張り部材３８を用いてキャップ１０を瓶から外す場合、天面壁１２上に突き出た部分において、引張り部材３８に指をかけて引っ張ることにより、図２０の（Ａ）（Ｂ）（Ｃ）に示すように、開口部７０側からスコア部３４が引き裂かれる。そして、引張り部材３８は外周壁１６から分離し、外周壁１６の一部がなくなった状態となる。そのため、第１の突起部１８や第２の突起部２０による係合力が小さくなる。このとき、スコア部３４は、薄い部分が起点となって引き裂かれる。このように、スコア部３４の厚みを変化させることにより、通常は必要な強度を得ることができ、キャップ１０を外すときには、引き裂きやすいという性質を得ることができる。
【００３７】
このような状態で、鍔部４２を引き上げると、引張り部材３８がなくなった部分の近傍において、外周壁１６の端部が持ち上げられる。それにより、第１の突起部１８や第２の突起部２０が瓶５０から引き離され、容易にキャップ１０を瓶５０から外すことができる。
【００３８】
なお、キャップ１０を瓶５０に被せたのち、図２１に示すように、熱収縮性フィルム８０などでキャップ１０を覆ってもよい。このとき、熱収縮性フィルム８０は、天面壁１２に形成された凸部１４部分から瓶５０の外側を覆うように被せられる。このようにすることにより、凸部１４によって熱収縮性フィルム８０の端部が持ち上がった状態となり、熱収縮性フィルム８０を剥がしやすくすることができる。
【００３９】
【発明の効果】
この発明によれば、複数の形状の瓶に用いることができ、キャップが外れにくいうえに、温度変化による内部の圧力変化などによる内容物の漏れを防ぐことができるキャップを得ることができる。
このようなキャップにおいて、スコア部と引張り部材とを形成することにより、容易にキャップを瓶から外すことができる。
【図面の簡単な説明】
【図１】この発明のキャップの一例を示す平面図である。
【図２】図１に示すキャップの側面図である。
【図３】図１に示すキャップの内部構造を示す図解図である。
【図４】図１に示すキャップの端面を示す図解図である。
【図５】図１に示すキャップの第２の突起部の配置を示す図解図である。
【図６】図１に示すキャップを瓶に被せたときの一例を示す図解図である。
【図７】キャップを瓶に被せたときに、瓶の内部の圧力が小さくなったときの状態を示す図解図である。
【図８】図７に示す状態のときにおける第５の突起部の様子を示す図解図である。
【図９】キャップを被せたときに、瓶の内部の圧力が大きくなったときの状態を示す図解図である。
【図１０】図１に示すキャップを瓶に被せたときの他の例を示す図解図である。
【図１１】図１に示すキャップを瓶に被せたときのさらに他の例を示す図解図である。
【図１２】キャップを外すために引張り部材を引っ張る様子を示す平面図である。
【図１３】引張り部材を引っ張ったときのキャップの端面の様子を示す図解図である。
【図１４】引張り部材を引っ張ったときのキャップの様子を示す側面図である。
【図１５】キャップを外すために鍔部を持ち上げた様子を示す図解図である。
【図１６】この発明のキャップの他の例を示す図解図である。
【図１７】この発明のキャップのさらに他の例を示す側面図である。
【図１８】図１７に示すキャップの平面図である。
【図１９】図１７に示すキャップの内部を示す図解図である。
【図２０】（Ａ）〜（Ｃ）は、図１７に示すキャップの引張り部材を引っ張るときの様子を示す図解図である。
【図２１】キャップを覆うように熱収縮性フィルムを被せたときの状態を示す図解図である。
【符号の説明】
１０  キャップ
１２  天面壁
１４  凸部
１６  外周壁
１８  第１の突起部
２０  第２の突起部
２２  第１の内周壁
２４  第３の突起部
２６  第２の内周壁
２８  第４の突起部
３０  第５の突起部
３２  溝
３４  スコア部
３６  凹部
３８  引張り部材
４０  連結部
４２  鍔部
【図１】
0004045095.tif 000002
【図２】
0004045095.tif 000003
【図３】
0004045095.tif 000004
【図４】
0004045095.tif 000005
【図５】
0004045095.tif 000006
【図６】
0004045095.tif 000007
【図７】
0004045095.tif 000008
【図８】
0004045095.tif 000009
【図９】
0004045095.tif 000010
【図１０】
0004045095.tif 000011
【図１１】
0004045095.tif 000012
【図１２】
0004045095.tif 000013
【図１３】
0004045095.tif 000014
【図１４】
0004045095.tif 000015
【図１５】
0004045095.tif 000016
【図１６】
0004045095.tif 000017
【図１７】
0004045095.tif 000018
【図１８】
0004045095.tif 000019
【図１９】
0004045095.tif 000020
【図２０】
0004045095.tif 000021
【図２１】
0004045095.tif 000022